(57)【特許請求の範囲】
【請求項１】
主に包帯巻き機を含み、前記包帯巻き機の中には右方に開口した回転空間が設置され、前記回転空間の中には回転機構が設置され、前記回転空間の後端壁の中には駆動空間が設置され、前記回転空間の左端壁の中には右端壁が前記回転空間と連通した推動空間が設置され、前記回転空間の後端壁の中には前方に開口した押出空間が設置され、前記推動空間の後端壁の中には貫通空間が設置され、前記貫通空間は前記推動空間と前記駆動空間とを連通し、且つ前記貫通空間の右端壁は前記押出空間の左端壁を貫通しており、前記推動空間の中には棉布が設置され、前記推動空間の中には推動機構が設置され、前記推動機構は前記棉布を押して前記回転空間の中に入らせることができ、
前記駆動空間の中には装置の作動を駆動できる駆動機構が設置され、前記駆動機構は駆動モータを含み、前記駆動モータの右端には駆動軸が伝動可能に連結され、前記駆動軸の右端には第一傘歯車が固定され、前記駆動空間の後端壁には旋転軸が回転可能に連結され、前記旋転軸には第一プーリが固定され、且つ前記旋転軸には前記第一傘歯車と噛み合える第二傘歯車がキーで連結され、前記旋転軸の前端には旋転板が固定され、前記旋転板の後端面には後端が前記第二傘歯車と接触した圧縮ばねが固定され、前記駆動空間の前後端壁の間には伝動軸が回転可能に連結され、前記伝動軸の後端には第二プーリが固定され、前記第二プーリはベルトを通じて前記第一プーリと連結され、前記伝動軸には旋転歯車が固定され、
前記押出空間の中には除去機構が設置され、傷口を前記回転空間の右側に接近し、前記駆動機構は前記推動機構の作動を制御し、それにより、前記棉布を前記回転機構の上側に位置させ、そして前記回転機構が作動し、前記棉布を制御して傷口を拭かせ、次に前記除去機構は使用済みの前記棉布を取り除き、前記推動機構は再び新しい前記棉布を前記回転機構の上側に送り、この時に前記回転機構は作動し、且つ前記棉布の下端面にテープを貼り、前記回転機構が回転することで自動的に包帯を巻けることを特徴とする運動かすり傷に対する自動消毒と包帯巻き装置。
【請求項２】
前記回転機構は前記回転空間の前端壁に回転可能に連結された回転軸を含み、前記回転軸の後端は前記回転空間の後端壁を貫通し、且つ前記駆動空間の中に位置し、前記回転軸の前端には回転板がネジ山で連結され、前記回転板の中には上方に開口した二つの昇降空間が設置され、後側の前記昇降空間の後端壁の左側は前記回転空間を連通され、前側の前記昇降空間の後端壁の左側は後側の前記昇降空間の前端壁を連通され、前側の前記昇降空間の前端壁には後端が後側の前記昇降空間の中に位置した巻き軸が回転可能に連結され、前記昇降空間の中に位置した前記巻き軸にはテープを巻いた巻き筒が設置され、前記昇降空間の下端壁には二つの固定ブロックが固定され、二つの前記固定ブロックの間には昇降板が設置され、前記昇降板の下端面には支持ばねが二つ固定され、前記昇降板の下側には二つの第一電磁石が固定され、上側の前記第一電磁石と前記昇降板とは固定され、下側の前記第一電磁石と前記昇降空間の下端壁とは固定され、前記昇降板の中には上方に開口したスライド空間が設置され、前記スライド空間の右端壁は右側の前記固定ブロックの左端面を貫通しており、前記昇降空間の上端壁には下方に開口した電磁空間が設置され、前記電磁空間の上端壁には第二電磁石が固定され、前記第二電磁石の下端面には電磁ばねが固定され、前記電磁ばねの下端には下端が前記昇降空間の中に位置した粘着ブロックが固定され、前記昇降空間の上端壁には二つの溶断ブロックが固定され、前記固定ブロックの中に位置したスライド空間の右端壁には復帰ばねが固定され、前記復帰ばねの左端には上端が前記昇降空間の中に位置したスライドブロックが固定され、前記スライドブロックの中には左方に開口した上昇空間が設置され、前記上昇空間の中には左端が前記昇降空間の中に位置した二つの摩擦板が設置され、下側の前記摩擦板は上側の前記摩擦板より短いのであり、下側の前記摩擦板の右端には上昇棒が固定され、前記上昇空間の上端壁には下端が上側の前記摩擦板と連結された連結ばねが固定され、前記上昇棒の上端には上端が前記上昇空間の上端壁を二回貫通したチェーンが固定され、前記チェーンが前記摩擦板と連結され、前側の前記昇降空間の右端壁には回転モータが固定され、前記回転モータの左端には従動軸が伝動可能に連結され、前記従動軸には縄巻輪が二つ固定され、前記縄巻輪には縄が巻き付いており、左側の前記縄の上端は前側の前記スライド空間の右端壁を貫通し、且つ前記スライドブロックと連結され、右側の前記縄の上端は二つの前記昇降空間及び後側の前記スライド空間の右端壁を貫通し、且つ後側の前記スライドブロックと連結され、前記回転板の上端面には固定棒が固定され、前記回転軸の後端には上端が前記旋転歯車と噛み合える回転歯車が固定されていることを特徴とする請求項１に記載の運動かすり傷に対する自動消毒と包帯巻き装置。
【請求項３】
前記推動機構は推動板を含み、前記推動板の後端は前記貫通空間を貫通し、且つ前記駆動空間の中に位置し、前記推動板の中には移動空間が設置され、前記移動空間の左右端壁の後側はいずれも前記駆動空間を連通され、前記移動空間の中には移動板が設置され、前記移動板の後端には後端が前記移動空間の後端壁と連結された移動ばねが固定され、前記駆動軸の右端は前記推動板と前記移動空間とを貫通しており、前記移動板の前端の上端面には後端が前記駆動軸と噛み合えるネジ山ブロックが固定され、前記駆動空間の後端壁には第三電磁石が固定され、前記第三電磁石の前側には右端が前記移動空間を貫通した推動棒が設置され、前記推動棒は前記第二傘歯車の後側に位置し、前記移動空間の中に位置した推動棒は前記移動板と固定的に連結され、前記推動板の前端には左端が前記推動空間の左端壁と連結された折畳板が固定され、前記推動空間の上端壁の中には右端壁が前記推動空間を連通した貯蔵空間が設置され、前記貯蔵空間の中には前記棉布が六つ貯蔵され、前記貯蔵空間の左端壁には外部と連通した投入口が設置され、前記回転空間の上端壁の中には液体貯蔵空間が設置され、前記液体貯蔵空間の下端壁には前記回転空間を連通した連通パイプが設置され、前記連通パイプの中には電磁スイッチが設置され、前記包帯巻き機の右端面には制限ブロックが固定され、前記制限ブロックは前記回転機構が回転して前記回転空間から離脱できないように制限することを特徴とする請求項１に記載の運動かすり傷に対する自動消毒と包帯巻き装置。
【請求項４】
前記除去機構は押出板を含み、前記押出空間の右端壁には左端が前記押出板と接触した伸縮ばねが固定され、前記押出板の中には後方に開口した制限溝が設置され、前記制限溝の右端壁は前記押出空間を連通され、前記制限溝の中には制限板が設置され、前記制限板の右端面には後端が前記駆動空間の中に位置した押出棒が固定され、前記制限板の後端面には後端が前記押出空間の後端壁と連結された制限ばねが固定され、前記押出空間の後端壁には第四電磁石が固定され、前記回転空間の前端壁の中には後方に開口した廃棄物空間が設置され、前記廃棄物空間は外部に連通されていることを特徴とする請求項１に記載の運動かすり傷に対する自動消毒と包帯巻き装置。
【請求項５】
前記第三電磁石は前記推動棒と吸引しあう又は排斥しあうことができ、前記第三電磁石と前記推動棒との間の磁力は前記移動ばねと前記圧縮ばねとの弾力の和より遥かに大きいのであることを特徴とする請求項３に記載の運動かすり傷に対する自動消毒と包帯巻き装置。
【請求項６】
前記第四電磁石は前記押出板と吸引しあう又は排斥しあうことができ、前記第四電磁石と前記押出板との間の磁力は前記制限ばねの弾力より遥かに大きいのであることを特徴とする請求項４に記載の運動かすり傷に対する自動消毒と包帯巻き装置。
【請求項７】
テープと前記粘着ブロックとの間の粘着力は下側の前記摩擦板と前記上昇棒との重量の和より小さいのであることを特徴とする請求項２に記載の運動かすり傷に対する自動消毒と包帯巻き装置。
【請求項８】
初期状態では、前記粘着ブロックの下端はテープと粘着しており、且つテープの粘着可能な部分は上方へ向いていることを特徴とする請求項２に記載の運動かすり傷に対する自動消毒と包帯巻き装置。
【請求項９】
二つの前記第一電磁石の磁力は二つの前記支持ばねの弾力の和より遥かに大きいのであることを特徴とする請求項２に記載の運動かすり傷に対する自動消毒と包帯巻き装置。
【発明の詳細な説明】
【技術分野】
【０００１】
本願発明は医療分野を取り上げ、具体的には運動かすり傷に対する自動消毒と包帯巻き装置である。
【背景技術】
【０００２】
バスケなどの激しい対抗運動において、かすり傷は極めて生じやすいもので、運動に悪影響を与え、また、感染にならないように、ケガ人は医者に消毒と包帯まきを行う必要があり、
現段階において、消毒と包帯巻きは基本的に医者が直々行うことであり、医者の仕事量を増えると同時に、仕事の効率も降下し、また、患者は自ら病院へ行って消毒と包帯巻きを受ける必要があり、タイムリーに治療を得られない。
【先行技術文献】
【特許文献】
【０００３】
【特許文献１】中国特許出願公開第１０６８５９９０３号明細書
【発明の概要】
【発明が解決しようとする課題】
【０００４】
運動かすり傷に対する自動消毒と包帯巻き装置を提供し、仕事効率の悪さなどの問題を解決することを目的とする。
【課題を解決するための手段】
【０００５】
本願発明は以下の技術的解決策で実現される。
【０００６】
本願発明である運動かすり傷に対する自動消毒と包帯巻き装置は、主に包帯巻き機を含み、前記包帯巻き機の中には右方に開口した回転空間が設置され、前記回転空間の中には回転機構が設置され、前記回転空間の後端壁の中には駆動空間が設置され、前記回転空間の左端壁の中には右端壁が前記回転空間と連通した推動空間が設置され、前記回転空間の後端壁の中には前方に開口した押出空間が設置され、前記推動空間の後端壁の中には貫通空間が設置され、前記貫通空間は前記推動空間と前記駆動空間とを連通し、且つ前記貫通空間の右端壁は前記押出空間の左端壁を貫通しており、前記推動空間の中には棉布が設置され、前記推動空間の中には推動機構が設置され、前記推動機構は前記棉布を押して前記回転空間の中に入らせることができ、
前記駆動空間の中には装置の作動を駆動できる駆動機構が設置され、前記駆動機構は駆動モータを含み、前記駆動モータの右端には駆動軸が伝動可能に連結され、前記駆動軸の右端には第一傘歯車が固定され、前記駆動空間の後端壁には旋転軸が回転可能に連結され、前記旋転軸には第一プーリが固定され、且つ前記旋転軸には前記第一傘歯車と噛み合える第二傘歯車がキーで連結され、前記旋転軸の前端には旋転板が固定され、前記旋転板の後端面には後端が前記第二傘歯車と接触した圧縮ばねが固定され、前記駆動空間の前後端壁の間には伝動軸が回転可能に連結され、前記伝動軸の後端には第二プーリが固定され、前記第二プーリはベルトを通じて前記第一プーリと連結され、前記伝動軸には旋転歯車が固定され、
前記押出空間の中には除去機構が設置され、傷口を前記回転空間の右側に接近し、前記駆動機構は前記推動機構の作動を制御し、それにより、前記棉布を前記回転機構の上側に位置させ、そして前記回転機構が作動し、前記棉布を制御して傷口を拭かせ、次に前記除去機構は使用済みの前記棉布を取り除き、前記推動機構は再び新しい前記棉布を前記回転機構の上側に送り、この時に前記回転機構は作動し、且つ前記棉布の下端面にテープを貼り、前記回転機構が回転することで自動的に包帯を巻ける。
【０００７】
さらに、前記回転機構は前記回転空間の前端壁に回転可能に連結された回転軸を含み、前記回転軸の後端は前記回転空間の後端壁を貫通し、且つ前記駆動空間の中に位置し、前記回転軸の前端には回転板がネジ山で連結され、前記回転板の中には上方に開口した二つの昇降空間が設置され、後側の前記昇降空間の後端壁の左側は前記回転空間を連通され、前側の前記昇降空間の後端壁の左側は後側の前記昇降空間の前端壁を連通され、前側の前記昇降空間の前端壁には後端が後側の前記昇降空間の中に位置した巻き軸が回転可能に連結され、前記昇降空間の中に位置した前記巻き軸にはテープを巻いた巻き筒が設置され、前記昇降空間の下端壁には二つの固定ブロックが固定され、二つの前記固定ブロックの間には昇降板が設置され、前記昇降板の下端面には支持ばねが二つ固定され、前記昇降板の下側には二つの第一電磁石が固定され、上側の前記第一電磁石と前記昇降板とは固定され、下側の前記第一電磁石と前記昇降空間の下端壁とは固定され、前記昇降板の中には上方に開口したスライド空間が設置され、前記スライド空間の右端壁は右側の前記固定ブロックの左端面を貫通しており、前記昇降空間の上端壁には下方に開口した電磁空間が設置され、前記電磁空間の上端壁には第二電磁石が固定され、前記第二電磁石の下端面には電磁ばねが固定され、前記電磁ばねの下端には下端が前記昇降空間の中に位置した粘着ブロックが固定され、前記昇降空間の上端壁には二つの溶断ブロックが固定され、前記固定ブロックの中に位置したスライド空間の右端壁には復帰ばねが固定され、前記復帰ばねの左端には上端が前記昇降空間の中に位置したスライドブロックが固定され、前記スライドブロックの中には左方に開口した上昇空間が設置され、前記上昇空間の中には左端が前記昇降空間の中に位置した二つの摩擦板が設置され、下側の前記摩擦板は上側の前記摩擦板より短いのであり、下側の前記摩擦板の右端には上昇棒が固定され、前記上昇空間の上端壁には下端が上側の前記摩擦板と連結された連結ばねが固定され、前記上昇棒の上端には上端が前記上昇空間の上端壁を二回貫通したチェーンが固定され、前記チェーンが前記摩擦板と連結され、前側の前記昇降空間の右端壁には回転モータが固定され、前記回転モータの左端には従動軸が伝動可能に連結され、前記従動軸には縄巻輪が二つ固定され、前記縄巻輪には縄が巻き付いており、左側の前記縄の上端は前側の前記スライド空間の右端壁を貫通し、且つ前記スライドブロックと連結され、右側の前記縄の上端は二つの前記昇降空間及び後側の前記スライド空間の右端壁を貫通し、且つ後側の前記スライドブロックと連結され、前記回転板の上端面には固定棒が固定され、前記回転軸の後端には上端が前記旋転歯車と噛み合える回転歯車が固定されている。
【０００８】
さらに、前記推動機構は推動板を含み、前記推動板の後端は前記貫通空間を貫通し、且つ前記駆動空間の中に位置し、前記推動板の中には移動空間が設置され、前記移動空間の左右端壁の後側はいずれも前記駆動空間を連通され、前記移動空間の中には移動板が設置され、前記移動板の後端には後端が前記移動空間の後端壁と連結された移動ばねが固定され、前記駆動軸の右端は前記推動板と前記移動空間とを貫通しており、前記移動板の前端の上端面には後端が前記駆動軸と噛み合えるネジ山ブロックが固定され、前記駆動空間の後端壁には第三電磁石が固定され、前記第三電磁石の前側には右端が前記移動空間を貫通した推動棒が設置され、前記推動棒は前記第二傘歯車の後側に位置し、前記移動空間の中に位置した推動棒は前記移動板と固定的に連結され、前記推動板の前端には左端が前記推動空間の左端壁と連結された折畳板が固定され、前記推動空間の上端壁の中には右端壁が前記推動空間を連通した貯蔵空間が設置され、前記貯蔵空間の中には前記棉布が六つ貯蔵され、前記貯蔵空間の左端壁には外部と連通した投入口が設置され、前記回転空間の上端壁の中には液体貯蔵空間が設置され、前記液体貯蔵空間の下端壁には前記回転空間を連通した連通パイプが設置され、前記連通パイプの中には電磁スイッチが設置され、前記包帯巻き機の右端面には制限ブロックが固定され、前記制限ブロックは前記回転機構が回転して前記回転空間から離脱できないように制限する。
【０００９】
さらに、前記除去機構は押出板を含み、前記押出空間の右端壁には左端が前記押出板と接触した伸縮ばねが固定され、前記押出板の中には後方に開口した制限溝が設置され、前記制限溝の右端壁は前記押出空間を連通され、前記制限溝の中には制限板が設置され、前記制限板の右端面には後端が前記駆動空間の中に位置した押出棒が固定され、前記制限板の後端面には後端が前記押出空間の後端壁と連結された制限ばねが固定され、前記押出空間の後端壁には第四電磁石が固定され、前記回転空間の前端壁の中には後方に開口した廃棄物空間が設置され、前記廃棄物空間は外部に連通されている。
【００１０】
さらに、前記第三電磁石は前記推動棒と吸引しあう又は排斥しあうことができ、前記第三電磁石と前記推動棒との間の磁力は前記移動ばねと前記圧縮ばねとの弾力の和より遥かに大きいのである。
【００１１】
さらに、前記第四電磁石は前記押出板と吸引しあう又は排斥しあうことができ、前記第四電磁石と前記押出板との間の磁力は前記制限ばねの弾力より遥かに大きいのである。
【００１２】
さらに、テープと前記粘着ブロックとの間の粘着力は下側の前記摩擦板と前記上昇棒との重量の和より小さいのである。
【００１３】
さらに、初期状態では、前記粘着ブロックの下端はテープと粘着しており、且つテープの粘着可能な部分は上方へ向いている。
【００１４】
さらに、二つの前記第一電磁石の磁力は二つの前記支持ばねの弾力の和より遥かに大きいのである。
【発明の効果】
【００１５】
本願発明は以下のプラス効果を有する：当該装置はシンプルな構成と簡単な操作方法を有し、自動的に患者の傷口に消毒と包帯巻きを行うことができ、人による手動操作を要らず、操作を簡単にし、治療効率を高め、また、患者は自ら病院へ行って医者から治療を受ける必要もなく、医者の負担を減らす。
【図面の簡単な説明】
【００１６】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の実施例の構成略図
【図２】図２は本願発明の実施例におけるＡ―Ａの構成拡大略図
【図３】図３は本願発明の実施例における回転機構の全断面の正面構成拡大略図
【図４】図４は本願発明の実施例におけるＢの構成拡大略図
【発明を実施するための形態】
【００１８】
図１〜４に記載された運動かすり傷に対する自動消毒と包帯巻き装置の機械構成図を参考し、主に包帯巻き機１０を含み、前記包帯巻き機１０の中には右方に開口した回転空間２０が設置され、前記回転空間２０の中には回転機構２５が設置され、前記回転空間２０の後端壁の中には駆動空間５３が設置され、前記回転空間２０の左端壁の中には右端壁が前記回転空間２０と連通した推動空間１３が設置され、前記回転空間２０の後端壁の中には前方に開口した押出空間３２が設置され、前記推動空間１３の後端壁の中には貫通空間５６が設置され、前記貫通空間５６は前記推動空間１３と前記駆動空間５３とを連通し、且つ前記貫通空間５６の右端壁は前記押出空間３２の左端壁を貫通しており、前記推動空間１３の中には棉布１２が設置され、前記推動空間１３の中には推動機構７８が設置され、前記推動機構７８は前記棉布１２を押して前記回転空間２０の中に入らせることができ、前記駆動空間５３の中には装置の作動を駆動できる駆動機構８０が設置され、前記駆動機構８０は駆動モータ５４を含み、前記駆動モータ５４の右端には駆動軸８１が伝動可能に連結され、前記駆動軸８１の右端には第一傘歯車４４が固定され、前記駆動空間５３の後端壁には旋転軸４１が回転可能に連結され、前記旋転軸４１には第一プーリ４０が固定され、且つ前記旋転軸４１には前記第一傘歯車４４と噛み合える第二傘歯車４２がキーで連結され、前記旋転軸４１の前端には旋転板３３が固定され、前記旋転板３３の後端面には後端が前記第二傘歯車４２と接触した圧縮ばね３４が固定され、前記駆動空間５３の前後端壁の間には伝動軸３７が回転可能に連結され、前記伝動軸３７の後端には第二プーリ３８が固定され、前記第二プーリ３８はベルト３９を通じて前記第一プーリ４０と連結され、前記伝動軸３７には旋転歯車３５が固定され、前記押出空間３２の中には除去機構７９が設置され、
傷口を前記回転空間２０の右側に接近し、前記駆動機構８０は前記推動機構７８の作動を制御し、それにより、前記棉布１２を前記回転機構２５の上側に位置させ、そして前記回転機構２５が作動し、前記棉布１２を制御して傷口を拭かせ、次に前記除去機構７９は使用済みの前記棉布１２を取り除き、前記推動機構７８は再び新しい前記棉布１２を前記回転機構２５の上側に送り、この時に前記回転機構２５は作動し、且つ前記棉布１２の下端面にテープを貼り、前記回転機構２５が回転することで自動的に包帯を巻ける。
【００１９】
好ましくは、前記回転機構２５は前記回転空間２０の前端壁に回転可能に連結された回転軸２４を含み、前記回転軸２４の後端は前記回転空間２０の後端壁を貫通し、且つ前記駆動空間５３の中に位置し、前記回転軸２４の前端には回転板２３がネジ山で連結され、前記回転板２３の中には上方に開口した二つの昇降空間２７が設置され、後側の前記昇降空間２７の後端壁の左側は前記回転空間２０を連通され、前側の前記昇降空間２７の後端壁の左側は後側の前記昇降空間２７の前端壁を連通され、前側の前記昇降空間２７の前端壁には後端が後側の前記昇降空間２７の中に位置した巻き軸５８が回転可能に連結され、前記昇降空間２７の中に位置した前記巻き軸５８にはテープを巻いた巻き筒５７が設置され、前記昇降空間２７の下端壁には二つの固定ブロック７２が固定され、二つの前記固定ブロック７２の間には昇降板８２が設置され、前記昇降板８２の下端面には支持ばね７１が二つ固定され、前記昇降板８２の下側には二つの第一電磁石６９が固定され、上側の前記第一電磁石６９と前記昇降板８２とは固定され、下側の前記第一電磁石６９と前記昇降空間２７の下端壁とは固定され、前記昇降板８２の中には上方に開口したスライド空間７０が設置され、前記スライド空間７０の右端壁は右側の前記固定ブロック７２の左端面を貫通しており、前記昇降空間２７の上端壁には下方に開口した電磁空間６２が設置され、前記電磁空間６２の上端壁には第二電磁石６０が固定され、前記第二電磁石６０の下端面には電磁ばね６１が固定され、前記電磁ばね６１の下端には下端が前記昇降空間２７の中に位置した粘着ブロック５９が固定され、前記昇降空間２７の上端壁には二つの溶断ブロック６３が固定され、前記固定ブロック７２の中に位置したスライド空間７０の右端壁には復帰ばね６８が固定され、前記復帰ばね６８の左端には上端が前記昇降空間２７の中に位置したスライドブロック８３が固定され、前記スライドブロック８３の中には左方に開口した上昇空間７６が設置され、前記上昇空間７６の中には左端が前記昇降空間２７の中に位置した二つの摩擦板７３が設置され、下側の前記摩擦板７３は上側の前記摩擦板７３より短いのであり、下側の前記摩擦板７３の右端には上昇棒７７が固定され、前記上昇空間７６の上端壁には下端が上側の前記摩擦板７３と連結された連結ばね７５が固定され、前記上昇棒７７の上端には上端が前記上昇空間７６の上端壁を二回貫通したチェーン７４が固定され、前記チェーン７４が前記摩擦板７３と連結され、前側の前記昇降空間２７の右端壁には回転モータ６４が固定され、前記回転モータ６４の左端には従動軸６７が伝動可能に連結され、前記従動軸６７には縄巻輪６６が二つ固定され、前記縄巻輪６６には縄６５が巻き付いており、左側の前記縄６５の上端は前側の前記スライド空間７０の右端壁を貫通し、且つ前記スライドブロック８３と連結され、右側の前記縄６５の上端は二つの前記昇降空間２７及び後側の前記スライド空間７０の右端壁を貫通し、且つ後側の前記スライドブロック８３と連結され、前記回転板２３の上端面には固定棒２２が固定され、前記回転軸２４の後端には上端が前記旋転歯車３５と噛み合える回転歯車３６が固定されている。
【００２０】
好ましくは、前記推動機構７８は推動板１４を含み、前記推動板１４の後端は前記貫通空間５６を貫通し、且つ前記駆動空間５３の中に位置し、前記推動板１４の中には移動空間５０が設置され、前記移動空間５０の左右端壁の後側はいずれも前記駆動空間５３を連通され、前記移動空間５０の中には移動板４８が設置され、前記移動板４８の後端には後端が前記移動空間５０の後端壁と連結された移動ばね４９が固定され、前記駆動軸８１の右端は前記推動板１４と前記移動空間５０とを貫通しており、前記移動板４８の前端の上端面には後端が前記駆動軸８１と噛み合えるネジ山ブロック５５が固定され、前記駆動空間５３の後端壁には第三電磁石５１が固定され、前記第三電磁石５１の前側には右端が前記移動空間５０を貫通した推動棒５２が設置され、前記推動棒５２は前記第二傘歯車４２の後側に位置し、前記移動空間５０の中に位置した推動棒５２は前記移動板４８と固定的に連結され、前記推動板１４の前端には左端が前記推動空間１３の左端壁と連結された折畳板２６が固定され、前記推動空間１３の上端壁の中には右端壁が前記推動空間１３を連通した貯蔵空間１６が設置され、前記貯蔵空間１６の中には前記棉布１２が六つ貯蔵され、前記貯蔵空間１６の左端壁には外部と連通した投入口１１が設置され、前記回転空間２０の上端壁の中には液体貯蔵空間１８が設置され、前記液体貯蔵空間１８の下端壁には前記回転空間２０を連通した連通パイプ１９が設置され、前記連通パイプ１９の中には電磁スイッチ１７が設置され、前記包帯巻き機１０の右端面には制限ブロック２１が固定され、前記制限ブロック２１は前記回転機構２５が回転して前記回転空間２０から離脱できないように制限する。
【００２１】
好ましくは、前記除去機構７９は押出板４７を含み、前記押出空間３２の右端壁には左端が前記押出板４７と接触した伸縮ばね３１が固定され、前記押出板４７の中には後方に開口した制限溝４６が設置され、前記制限溝４６の右端壁は前記押出空間３２を連通され、前記制限溝４６の中には制限板２９が設置され、前記制限板２９の右端面には後端が前記駆動空間５３の中に位置した押出棒４３が固定され、前記制限板２９の後端面には後端が前記押出空間３２の後端壁と連結された制限ばね３０が固定され、前記押出空間３２の後端壁には第四電磁石４５が固定され、前記回転空間２０の前端壁の中には後方に開口した廃棄物空間２８が設置され、前記廃棄物空間２８は外部に連通されている。  
【００２２】
好ましくは、前記第三電磁石５１は前記推動棒５２と吸引しあう又は排斥しあうことができ、前記第三電磁石５１と前記推動棒５２との間の磁力は前記移動ばね４９と前記圧縮ばね３４との弾力の和より遥かに大きいのである。
【００２３】
好ましくは、前記第四電磁石４５は前記押出板４７と吸引しあう又は排斥しあうことができ、前記第四電磁石４５と前記押出板４７との間の磁力は前記制限ばね３０の弾力より遥かに大きいのである。
【００２４】
好ましくは、テープと前記粘着ブロック５９との間の粘着力は下側の前記摩擦板７３と前記上昇棒７７との重量の和より小さいのである。
【００２５】
好ましくは、初期状態では、前記粘着ブロック５９の下端はテープと粘着しており、且つテープの粘着可能な部分は上方へ向いている。
【００２６】
好ましくは、二つの前記第一電磁石６９の磁力は二つの前記支持ばね７１の弾力の和より遥かに大きいのである。
【００２７】
装置全体の作動手順は以下の通りである。
【００２８】
１、傷口を回転空間２０の右側に接近し、駆動モータ５４が作動して駆動軸８１を回転連動させ、そしてネジ山ブロック５５は駆動されて右方へ運動し、さらに推動板１４を右方へ運動させ、さらに棉布１２を一枚右方へ運動して回転空間２０の中に入らせ、且つこの時に折畳板２６は広げられ、それにより、貯蔵空間１６の中にある棉布１２を降下できないように制限し、回転空間２０の中に入った棉布１２は回転板２３の上方に位置し、且つ当該棉布１２の右端は固定棒２２と接触し、この時に駆動モータ５４は作動して駆動軸８１を逆回転連動させ、そしてネジ山ブロック５５は駆動されて左方へ運動し、さらに推動板１４を復帰させ、さらに折畳板２６を復帰させ、それにより、新しい棉布１２が推動板１４の右側に落下し、この時に電磁スイッチ１７は入れられ、液体貯蔵空間１８の中にある消毒液を連通パイプ１９を通過して棉布１２に滴らせ、十分な量になると、電磁スイッチ１７を切る。
【００２９】
２、第三電磁石５１が作動して推動棒５２と排斥しあい、それにより、推動棒５２は前方へ運動し、そして移動板４８とネジ山ブロック５５を前方へ運動させ、さらにネジ山ブロック５５と駆動軸８１とを分離させ、同時に推動棒５２の運動は第二傘歯車４２を前方へ運動させ、そして第一傘歯車４４と第二傘歯車４２とを噛み合わせ、圧縮ばね３４は圧縮され、この時に駆動モータ５４が作動して駆動軸８１を回転連動させ、そして第一傘歯車４４は駆動されて回転し、さらに第二傘歯車４２を回転させ、さらに旋転軸４１と第一プーリ４０とを回転させ、ベルト３９の伝動で第二プーリ３８は駆動されて回転し、そして伝動軸３７を回転連動させ、さらに旋転歯車３５を回転させ、さらに回転歯車３６を回転連動させ、さらに回転軸２４を回転連動させ、さらに回転板２３を回転連動させ、さらに棉布１２を回転連動させ、回転板２３の上端が制限ブロック２１と接触する時に、棉布１２は傷口と接触し、この時に回転軸２４は引き続きに回転し、そして回転板２３を後方へ運動させ、それにより、患者の傷口を拭き、拭き終えた後に、駆動モータ５４が作動して駆動軸８１を逆回転連動させ、伝動によって回転軸２４は駆動されて逆回転し、そして回転板２３は駆動されて回転空間２０の下端壁と接触したまで逆回転し、回転板２３と回転空間２０の下端壁とが接触した後に、回転板２３は駆動されて前方へ運動し、それにより、回転板２３は復帰する。
【００３０】
３、拭き終えた後に、第四電磁石３４が作動して押出板４７と排斥しあい、そして押出板４７は前方へ運動し、制限ばね３０は引っ張られ、そして回転板２３の上側にある棉布１２を廃棄物空間２８の中に入らせ、それにより、使用済みの棉布１２は回収され、そして第四電磁石４５が作動して押出板４７と吸引しあい、押出板３７を復帰させ、さらに制限ばね３０を復帰させ、次に回転モータ６４が作動して従動軸６７を回転連動させ、そして縄巻輪６６を回転させて縄６５を緩ませ、さらに復帰ばね６８を復帰させてスライドブロック８３を連動させて左方へ運動させ、さらに下側の摩擦板７３の左端をテープの上側に位置させ、且つ上側の摩擦板７３の左端は粘着ブロック５９と接触し、この時に第二電磁石６０が作動して粘着ブロック５９と吸引しあい、粘着ブロック５９を上方へ運動させ、そして上側の摩擦板７３を上方へ運動させ、さらに連結ばね７５を圧縮させ、チェーン７４を緩み、さらに上昇棒７７を降下させ、それにより、下側の摩擦板７３は降下し、且つテープと粘着され、粘着ブロック５９が上方へ運動することにつれ、粘着ブロック５９はテープと分離し、対して下側の摩擦板７３はテープと粘着し、回転モータ６４が作動して従動軸６７を逆回転連動させ、そして縄巻輪６６を回転させて縄６５を引き締め、さらにスライドブロック８３を復帰させ、それにより、テープは駆動されて右方へ運動し、且つ巻き筒５７は回転する。
【００３１】
４、使用済みの棉布１２が廃棄物空間２８の中に入った後に、第三電磁石５１が作動して推動棒５２と吸引しあい、推動棒５２を復帰させ、そして移動板４８とネジ山ブロック５５とを復帰させ、且つネジ山ブロック５５は改めて駆動軸８１とネジ山で連結され、同時に第二傘歯車４２は圧縮ばね３４によって復帰し、第一傘歯車４４との噛み合いから離脱し、駆動モータ５４が作動して駆動軸８１を回転連動させ、そしてネジ山ブロック５５と推動板１４は駆動されて右方へ運動し、それにより、新しい棉布１２は回転空間２０の中に入り、且つ回転板２３の上側に位置し、そして駆動モータ５４が作動して駆動軸８１を逆回転連動させ、そして推動板１４とネジ山ブロック５５を復帰させ、二つの第一電磁石６９が作動して排斥しあい、そして昇降板８２を上方へ運動させ、支持ばね７１は引っ張られ、さらに固定ブロック７２にテープを上昇連動させ、左側の溶断ブロック６３が作動して放熱でテープを溶断し、且つテープの溶断部の左側は粘着ブロック５９の下端と粘着され、テープ溶断部の右側は下側の前記摩擦板７３と分離し、やがてテープは棉布１２の下端面と接触し、この時に二つの第一電磁石６９が作動しなく、昇降板８２は支持ばね７１によって復帰し、テープは棉布１２に残され、この時に第三電磁石５１は再び作動して推動棒５２と排斥しあい、そしてネジ山ブロック５５と駆動軸８１とを分離させ、対して第二傘歯車４２と第一傘歯車４４とは再び噛み合い、駆動モータ５４が作動して駆動軸８１を回転連動させ、伝動によって回転軸２４は再び回転し、そして回転板２３を回転させ、さらに新しい棉布１２を回転連動させ、それにより、新しい棉布１２を患者の傷口と接触され、次に、二つの第一電磁石６９が再び排斥するように作動し、昇降板８２が再びテープと接触した時に、昇降板８２は引き続きに駆動されて運動し、テープと棉布１２とを引き続きに運動させ、それにより、テープは患者に貼りつき、包帯巻きを完了とし、そして第一電磁石６９は作動しなく、昇降板８２は支持ばね７１によって復帰し、駆動モータ５４が作動して駆動軸８１を逆回転連動させ、伝動によって回転軸２４は回転し、そして回転板２３は駆動されて復帰し、第三電磁石５１が作動して推動棒５２と吸引しあい、推動棒５２を復帰させ、そして第三電磁石５１は作動を止め、推動機構７８と駆動機構８０とは復帰を完了とし、第二電磁石６０は作動しなく、そして粘着ブロック５９は電磁ばね６１によって復帰し、それにより、粘着ブロック５９は粘着されたテープを連動させて改めて左側の固定ブロック７２の上端と接触させ、装置は復帰を完了とする。
【００３２】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】      （修正有）【課題】運動かすり傷に対する自動消毒と包帯巻き装置を提供する。【解決手段】本願は運動かすり傷に対する自動消毒と包帯巻き装置１０を開示し、主に包帯巻き機を含み、包帯巻き機の中には右方に開口した回転空間２０が設置され、回転空間の中には回転機構２５が設置され、回転空間の後端壁の中には駆動空間が設置され、回転空間の左端壁の中には右端壁が回転空間と連通した推動空間１３が設置され、回転空間の後端壁の中には前方に開口した押出空間が設置され、当該装置はシンプルな構成と簡単な操作方法を有し、自動的に患者の傷口に消毒と包帯巻きを行うことができ、人による手動操作を要らず、操作を簡単にし、治療効率を高め、また、患者は自ら病院へ行って医者から治療を受ける必要もなく、医者の負担を減らす。【選択図】図１【図１】
0006813736.tif 000002
【図２】
0006813736.tif 000003
【図３】
0006813736.tif 000004
【図４】
0006813736.tif 000005